(57)【要約】【課題】本発明の課題は、家庭や外出先などから容易に複数の家電製品の詳細な操作設定が可能となるリモートコントロール装置を提供することである。【解決手段】上記課題は、操作対象となる電子機器の操作設定に使用されるリモートコントロール装置において、コンピュータとの通信手段と、前記コンピュータから出力される前記操作対象となる電子機器の操作設定のための指令信号を、前記通信手段を介して受信し、該指令信号の指令内容に基づいて、前記操作対象となる電子機器の操作設定のための設定信号を生成する制御手段と、前記制御手段により生成された設定信号を、赤外線信号に変換して、前記操作対象となる電子機器に送信する送信手段と、を有することを特徴とするリモートコントロール装置にて解決される。【選択図】  図２
2004194084.tif 000002
【特許請求の範囲】
【請求項１】
操作対象となる電子機器の操作設定に使用されるリモートコントロール装置において、
コンピュータとの通信手段と、
前記コンピュータから出力される前記操作対象となる電子機器の操作設定のための指令信号を、前記通信手段を介して受信し、該指令信号の指令内容に基づいて、前記操作対象となる電子機器の操作設定のための設定信号を生成する制御手段と、
前記制御手段により生成された設定信号を、赤外線信号に変換して、前記操作対象となる電子機器に送信する送信手段と、を有することを特徴とするリモートコントロール装置。
【請求項２】
請求項１記載のリモートコントロール装置において、
前記コンピュータから出力される前記操作対象となる電子機器の操作設定のための指令信号を格納する指令内容記憶手段を備え、
前記制御手段は、前記指令内容記憶手段に格納された指令信号の指令内容のうち、優先順位の高い指令の処理から順に実行し、該処理の実行により前記操作対象となる電子機器の操作設定のための設定信号を生成することを特徴とするリモートコントロール装置。
【請求項３】
請求項１又は２記載のリモートコントロール装置において、
前記操作対象となる電子機器に付属するリモコンから赤外線で送信される指令信号を受信する受信手段を備え、
前記指令内容記憶手段は、前記受信手段にて受信した指令信号を格納し、
前記制御手段は、前記指令内容記憶手段に格納された指令信号の指令内容のうち、優先順位の高い指令の処理から順に実行し、該処理の実行により前記操作対象となる電子機器の操作設定のための設定信号を生成することを特徴とするリモートコントロール装置。
【請求項４】
請求項１乃至３いずれか記載のリモートコントロール装置において、
インターネットへの接続手段を備え、
前記制御手段は、前記操作対象となる電子機器の操作設定のための指令信号を、前記インターネットへの接続手段を介して受信し、該指令信号の指令内容に基づいて、前記操作対象となる電子機器の操作設定のための設定信号を生成する外部操作設定手段を有することを特徴とするリモートコントロール装置。
【請求項５】
請求項４記載のリモートコントロール装置において、
前記指令信号の指令内容は、電子メール又はプッシュ信号にて表されることを特徴とするリモートコントロール装置。
【請求項６】
請求項１又は２記載のリモートコントロール装置において、
前記コンピュータとの通信手段は、有線又は無線通信であることを特徴とするリモートコントロール装置。
【発明の詳細な説明】
【０００１】
【発明の属する技術分野】
本発明は、家電製品の操作設定を行なうリモートコントロール装置に関する。
【０００２】
【従来の技術】
近年のテレビジョン受信機、ビデオテープレコーダー等の家電製品（電子機器）は、リモコンを個別に備えており、操作しようとする家電製品が変わるたびにリモコンを変えなければならず不便であった。このような問題に対応して、各家電製品のメーカ指定方式のプリセットリモコン（例えば、特許文献１参照）や複数の家電製品のリモコン信号を１台のリモコンに登録し、該リモコンですべての家電製品を操作できるリモコン、いわゆる学習リモコン（例えば、特許文献２参照）と呼ばれる製品が知られている。例えば、学習リモコンは、他のリモコンのリモコン信号を記憶させて、その信号を送信することができる。したがって、種類や製造業者の異なる複数の家電製品のそれぞれのリモコンが記憶しているリモコン信号をこのリモコンに覚え込ませれば、複数のリモコンを１台にまとめることができるようになっている。
【０００３】
また、Bluetoothなどを用いた無線接続システムにより、携帯電話機を用いてエアコンの遠隔操作や洗濯機の操作ガイダンス/ナビゲーションの実現を可能にする電灯線を媒体としたホームネットワーク“エコーネット”の開発が進められており、この技術によれば、家電間の連携、省エネ制御、遠隔監視、遠隔保守などが可能となる。
【０００４】
【特許文献１】
実開平０４−７５４９２号公報
【０００５】
【特許文献２】
特開平０７−２４０９７７号公報
【０００６】
【発明が解決しようとする課題】
上述した学習リモコンを使用すれば確かにリモコンの数は１つにすることができるかもしれない。しかし、学習リモコンにあるリモコン信号を覚え込ませるためには、学習元となるリモコンの信号送信部と学習リモコンの信号受信部とを互いに向き合わせて双方のリモコンでリモコン信号の送受信操作を行なわなければならない。つまり、複数のリモコンの複数のリモコン信号をすべて記憶させるためには膨大な時間がかかることになり、極めて面倒である。
【０００７】
また、上述のエコーネットを一家庭で実現するには、ユーザがネット対応専用の家電製品を新たに購入しなければならず、ユーザ側の負担が現状では大きいといった欠点がある。
【０００８】
本発明は、上述の事柄に留意してなされたもので、その課題とするところは、家庭や外出先などから容易に複数の家電製品の詳細な操作設定が可能となるリモートコントロール装置を提供することである。
【０００９】
【課題を解決するための手段】
上記課題を解決するため、本発明は、請求項１に記載されるように、操作対象となる電子機器の操作設定に使用されるリモートコントロール装置において、コンピュータとの通信手段と、前記コンピュータから出力される前記操作対象となる電子機器の操作設定のための指令信号を、前記通信手段を介して受信し、該指令信号の指令内容に基づいて、前記操作対象となる電子機器の操作設定のための設定信号を生成する制御手段と、前記制御手段により生成された設定信号を、赤外線信号に変換して、前記操作対象となる電子機器に送信する送信手段と、を有することを特徴としている。
【００１０】
また、本発明の請求項２は、前記リモートコントロール装置において、前記コンピュータから出力される前記操作対象となる電子機器の操作設定のための指令信号を格納する指令内容記憶手段を備え、前記制御手段は、前記指令内容記憶手段に格納された指令信号の指令内容のうち、優先順位の高い指令の処理から順に実行し、該処理の実行により前記操作対象となる電子機器の操作設定のための設定信号を生成することを特徴としている。
【００１１】
また、本発明の請求項３は、前記リモートコントロール装置において、前記操作対象となる電子機器に付属するリモコンから赤外線で送信される指令信号を受信する受信手段を備え、前記指令内容記憶手段は、前記受信手段にて受信した指令信号を格納し、前記制御手段は、前記指令内容記憶手段に格納された指令信号の指令内容のうち、優先順位の高い指令の処理から順に実行し、該処理の実行により前記操作対象となる電子機器の操作設定のための設定信号を生成することを特徴としている。
【００１２】
また、本発明の請求項４は、前記リモートコントロール装置において、インターネットへの接続手段を備え、前記制御手段は、前記操作対象となる電子機器の操作設定のための指令信号を、前記インターネットへの接続手段を介して受信し、該指令信号の指令内容に基づいて、前記操作対象となる電子機器の操作設定のための設定信号を生成する外部操作設定手段を有することを特徴としている。
【００１３】
また、本発明の請求項５は、前記リモートコントロール装置において、前記指令信号の指令内容は、電子メール又はプッシュ信号にて表されることを特徴としている。
【００１４】
また、本発明の請求項６は、前記リモートコントロール装置において、前記コンピュータとの通信手段は、有線又は無線通信であることを特徴としている。
【００１５】
上記本発明の構成によれば、家電製品の操作時刻、操作内容を示した指令がプロファイルとしてユーザのコンピュータから設定されてリモートコントロール装置に登録される。その後、該プロファイルに設定されている各種の指令は、設定時刻になった時に、リモートコントロール装置から該当の家電製品に向けて送信される。
【００１６】
このように本発明では、家電製品の操作設定にコンピュータを利用するので、コンピュータ上でユーザのニーズに応じたきめ細かな家電製品の操作設定が可能となり、複数の家電製品を利用する場合であっても、ユーザの負担を軽減しつつ利便性を向上させることができる。
【００１７】
【発明の実施の形態】
以下、本発明の実施の形態を図面に基づいて説明する。
【００１８】
図１は、本発明の実施の一形態に係るリモートコントロール装置のシステム構成図である。
【００１９】
（実施の形態１）
図１において、このシステムは、リモートコントロール装置１００、コンピュータA（デスクトップ型コンピュータ）２００、コンピュータB（ノードブック型コンピュータ）３００、各家電製品４００（テレビ、エアコン、VTR、空気清浄機など）、携帯電話機５００、固定電話機６００、各家電製品のリモコン７００から構成される。上記リモートコントロール装置１００には、外部の上記携帯電話機５００や固定電話機６００と接続するための外部回線として、アナログ回線（公衆回線）接続ポート１１０とデジタル回線（ｘDSL、ISDN、光ファイバーなど）接続ポート１２０が備えられる。また、上記コンピュータＡ２００及びコンピュータＢ３００は、上記公衆回線やＩＳＤＮ回線を使いダイアルアップ接続等によりプロバイダを経由してインターネットに接続することが可能である。また、上記リモートコントロール装置１００には、各家電製品のリモコン７００からの赤外線リモコンコード信号を受信する赤外線受信部８と、各家電製品を操作するための赤外線リモコンコード信号を送信する赤外線送信部７が備えられる。
【００２０】
図２は、上記リモートコントロール装置１００のブロック図である。
【００２１】
図２において、このリモートコントロール装置１００は、論理的に分割された２つのネットワーク、例えば、無線ＬＡＮネットワーク２（コンピュータＢ３００からの無線信号を受信するアンテナ１が含まれる）と有線ＬＡＮネットワーク３を接続するために用いられるルータ４と、コンピュータＡ２００とコンピュータＢ１００をそれぞれ該当のネットワーク（無線ＬＡＮネットワーク２または有線ＬＡＮネットワーク３）に中継するネットワークＨＵＢ（ハブ）５と、システムコントローラ６と、赤外線送信部７と、赤外線受信部８と、リモートコードプロファイル記憶部９と、アナログ回線接続ポート１１０と、デジタル回線接続ポート１２０（本例では、デジタル回線としてISDNを想定し、以下、ＩＳＤＮ用接続ポートが備えられているものとして説明する）とから構成される。上記アナログ回線接続ポート１１０、デジタル回線接続ポート１２０から出力されたアナログ信号又はデジタル信号は、それぞれの網（ＩＳＤＮ網１２１又は公衆網１１１）、プロバイダ（メールサーバ１３０、ＷＷＷサーバ１４０）を介してインターネット１５０へと送られる。すなわち、本発明のリモートコントロール装置１００にはインターネットへの接続機能が備えられている。また、上記アナログ回線接続ポート１１０、デジタル回線接続ポート１２０を利用することで、外部の携帯電話機５００や固定電話機６００とインターネット経由した通信が可能となっている。
【００２２】
上記システムコントローラ６は、本リモートコントロール装置１００の全体の制御を司り、例えば、リモコンコードプロファイル記憶部９に記憶されているリモコンコードプロファイルデータ（後述する）を所定タイミングで取り出し、そのリモコンコードプロファイルデータで示される各家電製品操作設定のための信号を生成して赤外線送信部７に出力する。赤外線送信部７は、システムコントローラ６から出力された上記信号を、家電製品を操作するための赤外線リモコンコード信号に変換して送信する。赤外線受信部８は、各家電製品のリモコン７００から送出される赤外線リモコンコード信号を受信してシステムコントローラ６に出力する。リモコンコードプロファイル記憶部９は、ユーザが家電製品を自由自在に操作するためのデータ、すなわちリモコンコードプロファイルと呼ばれるデータが記憶される。このリモコンコードプロファイルデータは、コンピュータＡ２００、あるいはコンピュータＢ２００の操作から設定することが可能である。例えば、コンピュータにリモコンコードプロファイルデータ設定用のアプリケーションをインストールしておき、アプリケーション内でリモコンコードプロファイルデータを作成してリモコンコードプロファイル記憶部９に記憶させる方法や、テキスト エディタを使用してリモコンコードプロファイルデータを作成し、リモコンコードプロファイル記憶部９に記憶させる方法等がある。
【００２３】
図３は、コンピュータＡ２００又はコンピュータＢ３００の所定の操作によって設定されたリモコンコードプロファイルデータの一例を示す図で、ここでは、ある会社Ａのオフィス内の室内エアコンを操作するためのプロファイルデータが示されている。なお、会社Ａの始業時刻は９：００、終業時刻は１７：００、昼休みを１２：００〜１３：００の１時間と仮定する。
【００２４】
（設定内容）
▲１▼８：４５にエアコンの電源をＯＮにし、温度を２５℃に設定
▲２▼その後、１２：００まで温度２５℃を維持
▲３▼１２：００になったら温度を２３℃まで下げ１３：００まで維持
▲４▼１３：００になったら温度を２５℃に上げ１７：００まで維持
▲５▼１７：００になったら温度を２３℃まで下げ１８：００の時点でエアコンの電源をＯＦＦにする。
【００２５】
すなわち、上記▲１▼〜▲５▼がリモコンコードプロファイルデータとしてリモコンコードプロファイル記憶部９に記憶される。
【００２６】
次に、上記のようなエアコンのリモコンコードプロファイルデータがリモコンコードプロファイル記憶部９に記憶されているものと仮定して、以下、エアコンの操作設定を行なう場合について説明する。この操作設定にかかわる処理は基本的にシステムコントローラ６にて実行され、以下では、このシステムコントローラ９でなされる処理手順について説明する。
【００２７】
図４は、システムコントローラ６での処理手順を示すフローチャートである。
【００２８】
図４において、このシステムコントローラ６は、例えば、ＣＰＵであってタスクスケジューリング機能を備えている。タスクスケジューリングとは次に実行するタスクを決めることで、タスクの優先度にしたがって処理を実行する機能をいう。
【００２９】
システムコントローラ６は、まず、リモコンコードプロファイル記憶部９に一定間隔でアクセス（Ｓ１）して該リモコンコードプロファイル記憶部９にリモコンコードプロファイルデータが記憶されているか否かを判定（Ｓ２）する。この判定（Ｓ２）で、リモコンコードプロファイルデータが記憶されていないと判定されれば（Ｓ２でＮＯ）、引き続き一定間隔でリモコンコードプロファイル記憶部９にアクセスしてリモコンコードプロファイルデータの記憶有無を確認する。
【００３０】
一方、上記判定（Ｓ２）で、リモコンコードプロファイルデータが記憶されているとの判定結果が得られた場合（Ｓ２でＹＥＳ）は、その記憶されているリモコンコードプロファイルデータを該リモコンコードプロファイル記憶部９から読み出して（Ｓ３）入力キューに蓄積する。このとき、入力キューへのリモコンコードプロファイルデータの蓄積はタスクの優先順位毎にソートされて蓄積される。システムコントローラ６は、上記のようにして入力キューに蓄積されたタスクのうち、優先度の高いタスクから順次処理を実行（Ｓ４）する。上記▲１▼〜▲５▼をそれぞれ１つの処理実行単位、すなわちタスクとすると、本例の場合、まず、上記▲１▼のタスクが設定された時刻（１０：００）に実行される（図５参照）。すなわち、エアコンの電源をＯＮにし、温度を２５℃に設定させるためのエアコン操作信号を生成する処理がシステムコントローラ６にて行なわれる。システムコントローラ６には、内部あるいは外部にタイマ（図示省略）が備えられており、入力キューに蓄積されているタスクの実行タイミングを外さないように常に上記タイマから得られる時刻情報を参照している。
【００３１】
システムコントローラ６は上記のようにして生成したエアコン操作信号を赤外線送信部７に送出する。赤外線送信部７は、受け取ったエアコン操作信号を赤外線リモコンコード信号に変換して該当のエアコンに送信する。システムコントローラ６は、上記優先度１タスクを実行した後、入力キューに蓄積されているタスクの有無を確認（Ｓ５）し、入力キューにタスクが蓄積されていれば（Ｓ５でＹＥＳ）、上記同様の手順で優先度の高いタスクから順次実行（本例の場合、上記▲２▼〜▲５▼が順次実行される）する。すなわち、入力キューに蓄積されているタスクがなくなった（Ｓ５でＮＯ）時点で、一連の処理を終了して待機状態となる。
【００３２】
このように本実施形態によれば、家電製品の操作時刻、操作内容を示した指令がプロファイルとしてユーザのコンピュータから設定されてリモートコントロール装置に登録される。その後、該プロファイルに設定されている各種の指令は、設定時刻になった時に、リモートコントロール装置から該当の家電製品に向けて送信される。
【００３３】
このように本発明では、家電製品の操作設定にコンピュータを利用するので、コンピュータ上でユーザのニーズに応じたきめ細かな家電製品の操作設定が可能となり、複数の家電製品を利用する場合であっても、ユーザの負担を軽減しつつ利便性を向上させることができる。
【００３４】
また、既存の家電製品に新たなハードウェアやソフトウェアを追加しなくてもよいため、ユーザで負担するコストを極力抑えることが可能である。
【００３５】
また、コンピュータの電源を切って、リモートコントロール装置１００との接続を切った場合であっても、システムコントローラ６に内部または外部に備えられるタイマが作動し続け、設定された時間になると、予めコンピュータから設定しておいた指令が赤外線送信部７から送信されるので、コンピュータの電源を常にＯＮにしておく必要がなく、特にコンピュータB３００のようなノートブック型コンピュータにおいては、省電力化が図れる。
【００３６】
上記実施形態は、本発明の動作を平易に説明するために、１つの家電製品（エアコン）を操作設定する場合について説明したが、もちろん２以上の家電製品であっても操作設定することが可能である。この場合、システムコントローラ６では、複数の家電製品のタスクを計算機上で並行処理するための割り込み処理が行なわれる。この割り込み処理は、緊急性の高いタスクが新たに発生した場合に、実行中のタスクの計算処理を一時中断し、新たに発生したタスクの処理を優先して行ない、本処理実行後、中断していたタスク処理を再開するというもので、これにより、複数の家電製品の操作設定を効率良く実行することが可能である。
【００３７】
（実施の形態２）
上記実施の形態１は、コンピュータから家電製品を操作設定するための信号をリモートコントロール装置１００に送出し設定するという形態であったが、本発明の実施の形態はこのような形態に限定されるものではない。
【００３８】
図６は、本発明の実施の形態の２を説明するための図で、インターネット(外部)からの接続により、家電製品の操作設定や予約の指令を送信する実施形態を示した図である。本実施の形態２の場合、リモートコントロール装置１００にメールサーバが追加される。
【００３９】
図６において、ユーザの携帯電話機５００は自機５００が加入する携帯電話事業者のネットワーク１６０を介してインターネット１５０と接続し、家電製品を操作設定するための指令コードを記載したメールをリモートコントロール装置１００に送信する。上記メールには、上記のとおり、家電製品を操作設定するための指令コードが記載される。ここでは、エアコンの電源を１９：００にONするための指令コード（１０１９０００１）が記載されているものとする。この指令コードにおいて、左の１番目から２番目のコードは操作設定対象となる家電製品の種別を表し、１０がエアコン、１１がTVなどとなる。３番目から６番目のコードは、設定時間を表し、本例の場合、エアコンの電源を「１９：００」にONにする場合であるので、同コードとして“１９００”のように入力すればよい。そして、７番目から８番目のコードは、設定内容を表し、本例の場合、エアコンを「ON」にするアクティブコード、例えば、０１”と入力する。
【００４０】
上記のような指令コードの記載されたメールは、一旦、携帯電話事業者のネットワーク１６０上のＳＭＴＰサーバ１７０に転送される。ＳＭＴＰサーバ１７０ではメールの宛先、この場合、リモートコントロール装置１００のメールサーバを指定するアドレスを見て、該リモートコントロール装置１００のメールサーバ内のＳＭＴＰアプリケーション１１に対してルータ４、システムコントローラ６経由でメールを転送する。
【００４１】
上記ＳＭＴＰアプリケーション１１は転送されてきたメールの宛先を見て、それが 自リモートコントロール装置１００ に登録されているユーザへ宛てられたメールであることを確認すると、そのメッセージを該ユーザのメールボックス１２へ格納する。このようにしてメールボックス１２に格納された該ユーザからのメールはＰＯＰ３アプリケーション１３を介してシステムコントローラ６に転送される。システムコントローラ６は、メールに記載された指令コード（１０１９０００１）から指令内容を解析し、その指令内容に基づく家電製品操作信号、本例の場合、エアコン操作信号を生成して赤外線送信部７に出力する。赤外線送信部７はシステムコントローラ６から出力されたエアコン操作信号を赤外線リモコンコード信号に変換して該当のエアコンに送信する。
【００４２】
このように本実施の形態２によれば、ユーザはカフェやレストラン、ホテル、空港、駅などの外出先からのパソコン（ＬＡＮ環境）あるいは携帯電話機から家電製品の操作設定を容易に行なうことができる。これによりユーザの利便性をより向上させることができる。
【００４３】
上記実施の形態２は、外部の携帯電話機５００から家電製品操作設定のための指令コードをメールにて送信して遠隔操作するという形態であったが、本発明はこのような形態に限定されない。例えば、携帯電話機５００から指令コードをプッシュ信号にて送出するような形態であってもよい。この場合、プッシュ信号を示す“＃”をまず押し、次いで、上で示したような指令コードを押下すればよい。
【００４４】
（実施の形態３）
上記実施の形態１はコンピュータからリモコンコードプロファイルデータをリモートコントロール装置１００に記憶させて各家電製品の操作設定を行なうという形態であったが、コンピュータ以外にも各家電製品に付属している各々のリモコンを用いてリモコンコードプロファイルを設定してもよい。
【００４５】
図２で示したように、上記リモートコントロール装置１００には、赤外線受信部８が設けられており、各家電製品のリモコンから発せられた赤外線リモコンコード信号が当該赤外線受信部８にて受信される。この赤外線受信部８にて受信された赤外線リモコンコード信号の指令内容は、システムコントローラ６にて指令内容の解析が行なわれた後、リモコンコードプロファイルデータとしてリモコンコードプロファイル記憶部９に記憶される。これ以降の処理は、上記実施の形態１と同様な処理が行なわれる（図７参照）。
【００４６】
このように本実施の形態３によれば、コンピュータを用いなくても家電製品に付属しているリモコンの利用のみで、各家電製品の操作設定が可能になる。
【００４７】
（実施の形態４）
また、図８に示すように、コンピュータＡ２００（コンピュータＢ３００でもよい）がインターネット１５０上にあるＥＰＧ (Electronic Program Guide：電子番組表の略で、該サーバには最新のテレビ番組情報が蓄積されている)サーバ１８０にアクセスし、該ＥＰＧサーバ１８０より希望の番組表の情報をダウンロードし、リモコンコードプロファイル記憶部９に記憶させる。このようにしてリモコンコードプロファイル記憶部９に蓄積された番組表のデータは、システムコントローラ６で予約信号に変換された後、赤外線送信部７に送られ、該赤外線送信部７よりＶＴＲ、ＤＶＤ等に向けて録画設定のための赤外線リモコンコード信号が送信される。
【００４８】
したがって、本実施の形態４によれば、ユーザは好みの番組の録画予約をＶＴＲやＤＶＤ等に対しコンピュータＡからの操作により行なえるようになり、使い勝手も向上する。
【００４９】
上記例において、無線LANネットワーク２、有線LANネットワーク３の通信機能が通信手段、インターネットへの接続手段に対応し、システムコントローラ６の制御機能が制御手段、外部操作設定手段に対応し、赤外線送信部の赤外線リモコンコード信号送信機能が送信手段に対応する。また、リモコンコードプロファイル記憶部９の指定記憶機能が指令内容記憶手段に対応し、赤外線受信部の赤外線リモコンコード信号受信機能が受信手段に対応する。
【００５０】
【発明の効果】
以上、説明したように、本願発明によれば、家電製品の操作時刻、操作内容を示した指令がプロファイルとしてユーザのコンピュータから設定されてリモートコントロール装置に登録される。その後、該プロファイルに設定されている各種の指令は、設定時刻になった時に、リモートコントロール装置から該当の家電製品に向けて送信される。
【００５１】
このように本発明では、家電製品の操作設定にコンピュータを利用するので、コンピュータ上でユーザのニーズに応じたきめ細かな家電製品の操作設定が可能となり、複数の家電製品を利用する場合であっても、ユーザの負担を軽減しつつ利便性を向上させることができる。
【図面の簡単な説明】
【図１】本発明の実施の一形態に係るリモートコントロール装置のシステム構成図である。
【図２】図１に示すリモートコントロール装置のブロック図である。
【図３】コンピュータＡ又はコンピュータＢの所定の操作によって設定されたリモコンコードプロファイルデータの一例を示す図である。
【図４】システムコントローラでの処理手順を示すフローチャートである。
【図５】図４に示すステップ４（Ｓ４）処理の動作概念を示す図である。
【図６】本発明の実施の形態２を説明するための図である。
【図７】本発明の実施の形態３を説明するための図である。
【図８】番組データを、インターネットを介して取得する本発明の実施の形態４を説明するための図である。
【符号の説明】
１      アンテナ
２      無線ＬＡＮネットワーク
３      有線ＬＡＮネットワーク
４      ルータ
５      ネットワークＨＵＢ
６      システムコントローラ
７      赤外線送信部
８      赤外線受信部
９      リモコンコードプロファイル記憶部
１０、１３０  メールサーバ
１１  ＳＭＴＰアプリケーション
１２  ユーザメールボックス
１３  ＰＯＰ３アプリケーション
１００  リモートコントロール装置
１１０  アナログ回線接続ポート
１１１  公衆網
１２０  デジタル回線接続ポート
１２１  ＩＳＤＮ網
１４０  ＷＷＷサーバ
１５０  インターネット
１６０  携帯電話事業者のネットワーク
１７０  ＳＭＴＰサーバ
２００  コンピュータＡ（デスクトップ型コンピュータ）
３００  コンピュータＢ（ノート型コンピュータ）
４００  各家電製品
５００  携帯電話機
６００  固定電話機
７００  各家電製品のリモコン
【図１】
2004194084.tif 000003
【図２】
2004194084.tif 000004
【図３】
2004194084.tif 000005
【図４】
2004194084.tif 000006
【図５】
2004194084.tif 000007
【図６】
2004194084.tif 000008
【図７】
2004194084.tif 000009
【図８】
2004194084.tif 000010